(57)【要約】      （修正有）【課題】単一成形品を対象として、使い勝手及び品質を向上する。【解決手段】容器５の注出口側に装着される本体１と、本体１に凸部２５及び凹部１５ａの嵌合を介し枢支される蓋部２と、本体１と蓋部２との間に介在されて本体外周側への押し操作により蓋部２を開状態に切り換えるボタン部３とを一体に形成している容器用キャップにおいて、本体１の外周下側に第１ヒンジ４２を介し結合され、かつ、ボタン部３の基端側に第２ヒンジ４３を介し結合されている応力吸収用の連結片４を有している。連結片４は、ボタン部３を押し操作して蓋部２を開状態に切り換えるときに、ボタン部３が連結片４の下方向への揺動を伴って本体外周に接近するよう作用する。【選択図】        図３
2004338780.tif 000002
【特許請求の範囲】
【請求項１】
容器の注出口側に装着される本体と、前記本体に凸部及び凹部の嵌合を介し枢支される蓋部と、前記本体と前記蓋部との間に介在されて本体外周側への押し操作により蓋部を開状態に切り換えるボタン部とを一体に形成している容器用キャップにおいて、
前記本体の外周下側に第１ヒンジを介し結合され、かつ、前記ボタン部の基端側に第２ヒンジを介し結合されている応力吸収用の連結片を有しており、
前記ボタン部を押し操作して前記蓋部を開状態に切り換えるときに、前記ボタン部が前記連結片の下方向への揺動を伴って前記本体外周に接近するようにしたことを特徴とする容器用キャップ。
【請求項２】
前記本体が前記ボタン部を上下方向に配置する溝部を外周に形成しており、前記連結片が前記溝部内に収まると共に、前記第１ヒンジを介し前記本体側から略直角に突出する略水平状の基端部及び該基端部から下向きに延びて前記第２ヒンジを介し前記ボタン部に結合している略傾斜状の先端部とからなる請求項１に記載の容器用キャップ。
【請求項３】
前記ボタン部は、前記凸部及び凹部の嵌合箇所に対応接近して設けられた第３ヒンジと、前記第３ヒンジより少し下側に設けられて外へ張り出した張出部とを有していると共に、前記張出部の上外面を指当て押圧用の湾曲面又は傾斜面として形成している請求項１又は２に記載の容器用キャップ。
【請求項４】
前記本体は前記凹部を付設した対の突片と、段差状の係合部とを上端面に有していると共に、前記蓋部は前記本体の上側と略同大の外径からなり、前記係合部と係脱する内側の窪み部と、前記突片を受け入れると共に前記凸部を空間に突出しているスリットとを有している請求項１から３の何れかに記載の容器用キャップ。
【発明の詳細な説明】
【０００１】
【発明の属する技術分野】
本発明は、容器用キャップのうち、特に容器に装着される本体が蓋部及び該蓋部を開状態に切り換える押し操作用のボタン部を一体に形成しているキャップに関する。
【０００２】
【従来の技術】
容器用キャップには、図７に例示されるように、容器側に装着されて蓋部を押し操作用ボタン部により開状態に切り換えるものがある。即ち、図７（ａ）は特許文献１に開示のものである。この構造では、容器側の注出口側外周に装着される本体５０と、本体５０に枢支された蓋部５５と、本体５０と蓋部５５との間に介在されて本体外周側への押し操作により蓋部５５を開状態に切り換えるボタン部（スプリング作用片）５７とを一体に形成している。本体５０は、下側５１が容器装着部で、その上側が内径を絞った小筒形開口５２及び外周側の溝状部（支持起立板）５３からなる。溝状部５３には、対向内面に凹部５４が設けられ、又、ボタン部５７が下ヒンジ５８を介し連結されている。ボタン部５７は溝状部５３に対応した板幅で、中間ヒンジ５９を有している。蓋部５５は、ボタン部５７の自由端側に連結され、基端両側に前記凹部５４に対応した凸部５６を形成している。そして、ボタン部５７及び蓋部５５は、図中左側に想像線で示す成形形状から、本体５０側へ接近された後、凸部５６を凹部５４に嵌合することにより、実線の組立態様となる。この組立態様において、ボタン部５７は凸部５６及び凹部５４の嵌合部（枢支部）と、下ヒンジ５８とで位置規制されて、全体が中間ヒンジ５９を外側に張り出した略く字形となり、蓋部５５は開口５２を閉じる。ボタン部５７は、本体５０側へ押されると、想像線のごとく中間ヒンジ５９で反転されて全体が逆く字形となって溝状部５３内に入り込む。同時に、蓋部５５は、凸部５６及び凹部５４の嵌合部を支点として上斜めに回動されて、開状態に切り換えられる。
【０００３】
これに対し、図７（ｂ）は特許文献２に開示のものである。この構造でも、容器７０の注出口７１外周に装着される本体６０と、本体６０に枢支された蓋部６５と、押し操作により蓋部６５を開状態に切り換えるボタン部（中間体）６７とを一体に形成している。本体６０は、上面６１に容器内へ連通する開口６２を形成し、又、外周に両立壁で区画された溝状部６３を形成している。溝状部６３には、対向内面に凹部６４が設けられ、又、ボタン部６７が下ヒンジ６８を介し連結されている。ボタン部６７は溝状部６３に対応した板幅であり、中間ヒンジ６９を形成している。蓋部６５は、ボタン部６７の自由端側に連結され、基端側に前記凹部６４に対応した凸部（軸ピン）６６を形成している。符号６５ａは蓋部内面に設けられた突起である。そして、ボタン部６７及び蓋部６５は、上記の例と同様に凸部６６を凹部６４に嵌合枢支することにより、実線の組立態様となる。この組立態様において、ボタン部６７は凸部６６及び凹部６４の嵌合部（枢支部）と、下ヒンジ６８とで位置規制されて、全体が中間ヒンジ６９を介し略く字形となり、蓋部６５は上端面６１に重ねられて突起６５ａで開口６２を閉じる。ボタン部６７は、本体５０側へ押されると、想像線のごとく中間ヒンジ６９で反転されて全体が逆く字形となって溝状部６３内に入り込む。同時に、蓋部６５は、凸部６６及び凹部６４を支点として上斜めに回動されて、開状態に切り換えられる。
【０００４】
【特許文献１】
実公昭５１−５３９５２号公報（第１図と第２図）
【特許文献２】
実開昭６１−１７２０４４号公報（第１図〜第３図）
【０００５】
【発明が解決しようとする課題】
上記した従来キャップは、何れもが単一成形品であるため量産化する上で製造費を抑えることはできるが、次のような問題を有している。
第１、従来構造では、蓋部を開状態に切り換えるときに、ボタン部の押し力が必要以上に大きくなって使い勝手が悪い。これは、ボタン部を本体側へ押圧することで、蓋部を枢支部を中心として開方向へ回動する構造において、図７（ａ）の例で説明すると、ボタン部５７が枢支部（５６，５４）と下ヒンジ５８とで位置規制されているため、中間ヒンジ５９を介し実線位置より本体側の想像線位置へ反転する途中で過剰な負荷が必要になる。これに起因して、開操作では、ボタン部５７が枢支部（５６，５４）と下ヒンジ５８とを結ぶ反転ラインを通過する際の過大な力を受け、反転ラインより最終位置まで急速に変位するため、蓋部５５が開状態に切り換える途中から勢いよく開いて違和感を与える。従って、品質上は、ボタン部をできるだけ一定の押し力により操作できる様にしたい。また、以上の過剰の負荷は、各ヒンジ及びその周辺部に歪みやクラックを生じて破損要因となる。
第２に、前記の負荷を小さくするには、例えば、図７（ａ）の場合は蓋部の枢支部（５６，５４等）を右側へ、図７（ｂ）の場合は蓋部の枢支部（６６，６４等）を左側へ変更すればそれなり小さくできる。しかし、その場合には、蓋部の開き角度が小さくなって使い勝手を損ねる要因となる。また、従来構造では、蓋部の最大開き角度がせいぜい９０度前後であるため用途的な制約を受けることもある。この開き角度は、キャップが本体・蓋部・ボタン部を一体に形成している関係で、簡単には大きくできない。
【０００６】
本発明の目的は、本体・蓋部・ボタン部が単一成形品という利点を維持しつつ以上のような課題を全て解消して、使い勝手及び品質を向上したり、蓋部の開き角度をより大きく設定容易にして用途拡大を図ることにある。
【０００７】
【課題を解決するための手段】
上記目的を達成するため本発明は、図面の例で特定すると、容器５の注出口側に装着される本体１と、前記本体１に凸部２５及び凹部１５ａの嵌合を介し枢支される蓋部２と、前記本体１と前記蓋部２との間に介在されて本体外周側への押し操作により蓋部２を開状態に切り換えるボタン部３とを一体に形成している容器用キャップにおいて、前記本体１の外周下側に第１ヒンジ４２を介し結合され、かつ、前記ボタン部３の基端側に第２ヒンジ４３を介し結合されている応力吸収用の連結片４を有しており、前記ボタン部３を押し操作して前記蓋部２を開状態に切り換えるときに、前記ボタン部３が前記連結片４の下方向への揺動を伴って前記本体外周に接近するようにしたことを特徴としている。
【０００８】
（要部説明）本発明の工夫点は、特に過剰又は過大な負荷を応力吸収用連結片により緩和したことにある。即ち、この構造では、ボタン部を本体に連結片を介し結合すると共に、本体と連結片との間及び連結片とボタン部との間を第１，第２ヒンジ（薄肉ヒンジ）を介しそれぞれ接続することにより、押し操作でボタン部に加わる負荷を連結片の下方向への揺動にて緩和吸収する。このため、この発明では、蓋部を開状態に切り換える際の押し力を小さくしたり、従来のような蓋部の急激な回転をなくしたり、最初から最後までほぼ一定の力で操作できる。また、この構造では、ボタン部が過剰な負荷を受けないためヒンジ及びその周辺部の破損の虞も解消できる。
【０００９】
以上の本発明は、請求項２〜４のように展開することがより好ましい。即ち、・請求項２は、前記本体が前記ボタン部を上下方向に配置する溝部を外周に形成しており、前記連結片が前記溝部内に収まると共に、前記第１ヒンジを介し前記本体側から略直角に突出する略水平状の基端部及び該基端部から下向きに延びて前記第２ヒンジを介し前記ボタン部に結合している略傾斜状の先端部とからなる構成である。この場合には、例えば、本体側の溝部構成及び連結片の配置構成により外観特性を維持すると共に、形状工夫により連結片の揺動による負荷吸収作用を確実に得られるようにする。
・請求項３は、前記ボタン部は、前記凸部及び凹部の嵌合箇所に対応接近して設けられた第３ヒンジと、前記第３ヒンジより少し下側に設けられて外へ張り出した張出部とを有していると共に、前記張出部の上外面を指当て押圧用の湾曲面又は傾斜面として形成している構成である。この場合には、例えば、第３ヒンジにより蓋部の開き角度を大きくしたり、張出部及び湾曲面の存在により小さな力で押し操作し易くする。
・請求項４は、前記本体は前記凹部を付設した対の突片と、段差状の係合部とを上端面に有していると共に、前記蓋部は前記本体の上側と略同大の外径からなり、前記係合部と係脱する内側の窪み部と、前記突片を受け入れると共に前記凸部を空間に突出しているスリットとを有している構成である。この場合には、例えば、蓋部の配置及び枢支構成により回動角を規制され難くし、従来に比べて、外観特性、蓋装着性等を向上し、蓋部の開き角を大きくする上での制約を緩和できる。
【００１０】
【発明の実施の形態】
本発明の好適な形態を添付図面に基づいて説明する。図１（ａ），（ｂ）は容器用キャップを蓋部の閉状態及び開状態で示す概略外観図である。図２は蓋部の閉状態を示し、同（ａ）は上面図、同（ｂ）は正面図、同（ｃ）は右側面図である。図３は作動図であり、同（ａ）は蓋部の閉状態での断面図、同（ｂ）は蓋部が反転ライン付近まで回転された状態での断面図、同（ｃ）は蓋部が最大まで回転された状態での断面図である。図４〜図６は容器用キャップの成形状態を示す展開図であり、図４（ａ）は上面図、図４（ｂ）は正面図、図４（ｃ）は下面図、図５（ａ）は下側の一部を破断した左側面図、図５（ｂ）は右側面図、図５（ｃ）は図４（ａ）のＡ−Ａ線断面図、図６（ａ）は図５のＢ部拡大図、図６（ｂ）は図５のＣ部拡大図である。以下の説明では、キャップ構造について述べた後、組立及び作動を説明しながら有用性を明らかにする。
【００１１】
（構造）形態の容器用キャップは、樹脂の射出成形品であり、容器５の注出口５ａ側に装着される本体１と、本体１に枢支される蓋部２と、本体１と蓋部２との間に介在されて本体外周側への押し操作により蓋部２を開状態に切り換える操作用ボタン部３及び応力吸収用連結片４とを一体に形成している。なお、容器５は、食品、薬品、化粧品などの液体、粉体や粒状物入れるものであればよく、用途及び材質的な制約は特にない。また、注出口５ａは、本体１が簡単に装着できる形状であればよい。
【００１２】
前記本体１は、筒状外周１０の内側に一回り小さな内筒１１を有し、外周１０の上側全体及び内筒１１の上側の一部が上端面１２で閉じられており、又、上端面１２より外周１０の一部を欠如した状態で縦形の溝部１８を形成している。ここで、内筒１１は、外周１０より短く、下端内周に突出した係止爪１１ａを形成している。この係止爪１１ａは、図３のごとく内筒１１に差し込まれる容器注入口５ａを形成している筒部分の対応部に係合することにより、本体１を容器５に装着可能にする。上端面１２には、下面に突設されたリング形の小筒部１３と、上面に突設されて小筒部１３内に通じている小筒部１４と、片側に位置して所定間隔を保って立設された対の突片１５，１５と、突片１５同士を連結している片部１６と、外周上側を一段低くした係合部１７とが設けられている。小筒部１３は、容器注出口５ａに差し込まれることにより、本体１を容器５に対し位置規制可能にする。小筒部１４は、容器１に収容されている内蔵物を注出口５ａから外部へ流出させる開口１４ａを形成している。両突片１５は、上端面１２のうち、溝部１８の両側に位置し、小筒部１４より若干高くなっている。各突片１５には、同軸線上に貫通された軸穴用の凹部１５ａが設けられている。係合部１７は、上端面１２の外周側、つまり両突片１５の間の部分を段差状に形成したものである。溝部１８は、突片１５と突片１５との間の上端面１２を欠如し、該欠如幅で外周１０の対応部を欠肉したものであり、又、深さが前記内筒１１の外面付近に達している。この溝形状は、図５のごとく両側壁が外周１０より略直角に形成された側面により、底壁が内筒１１の一部に接続された平坦面により区画されて、全体が上下方向に延び、かつ、断面略コ形となっている。なお、符号１９は、外周１０の上端部分を少し欠肉した案内部であり、蓋部２を係合解除するときに操作し易いようにする箇所である。但し、この案内部１９は省略してもよい。
【００１３】
前記蓋部２は、本体１の上側とほぼ同じ外径からなる略円キャップ形状をなし、本体１の上側全体を覆って閉状態となり、該閉状態で内側の窪み部２０（の内径）が係合部１７と係脱する。蓋部２０の外面には、前記突片１５に対応した対のスリット２４が設けられている。各スリット２４は、突片１５を遊嵌する溝幅であり、内空間に凸部２５を突出している。蓋部２の内面側にあって、窪み部２０は、円弧状の周囲壁２１と、周囲壁２１に両側を接続しかつスリット２４に対応して設けられた略コ形の内壁（リブ）２２により区画されている。このため、前記スリット２４は内壁２２の両辺部の内側に位置している。また、前記凸部２５は、蓋部内面に突出されて内壁２２より低いリブ２３の外面（コ形リブ２３の両辺部の外面）に突設されている。なお、符号２６は窪み部２０内に設けられた突出部であり、符号２７は周囲壁２１にあって案内部１９に対応した縁部に突設された係合解除用突部である。突出部２６は蓋部２の閉状態で、小筒部１４内に挿入されて開口１４ａを封止可能にする。突部２７は、指等を当てて蓋部２を開ける方向へ押して係合部１７と窪み部２０との係合を解除する際に利用される。
【００１４】
前記ボタン部３は、前記溝部１８に略収まる大きさからなり、外面３０が両側壁を有し、内面３１が前記両側壁の存在で上側部分に区画された略凹状に突設されたリブ３２を有している。細部的には次の通りである。ボタン部３の長さは、前記突片１５の凹部１５ａと内筒１１の下端との間の寸法とほぼ同じく設定されている。外面３０は、図２のごとく外へ膨出した張出部３３を上側に形成し、該張出部３３より基端又は下端側である下外面３３ｂが滑らかな傾斜面であり、張出部３３より先端又は上端側である上外面３３ａが指当て押圧用の湾曲面又は鋭角な傾斜面となっている。上外面３３ａには小リブ３４が複数に設けられている。該小リブ３４は、指を当てたときに滑りを防ぐ滑り止めであるが、機能的に省略しても差し支えない。そして、ボタン部３は、上端側が蓋部２におけるコ形リブ２３の中間上縁に対し薄肉ヒンジ３５を介し屈曲可能に結合されている。このため、薄肉ヒンジ３５は、蓋部２を本体１に組み立てた状態で、凸部２５に対し接近（１．５〜３．０ｍｍ内に近づくように）している。
【００１５】
前記連結片４は、本体１とボタン部３との間に介在されていて、図６（ａ）のごとく本体１側から略直角に突出する略水平状の基端部４０と、該基端部４０から下向きに延びる略傾斜状の先端部４１とからなり、全体が溝部１８内に収まっている。また、基端部４０は、本体１の内筒１１下端側ないしは溝部１８の底壁下端側に対し薄肉ヒンジ４２を介して結合されている。先端部４１は、基端部４０と共に略へ字形状を形成しており、ボタン部３の基端に対し薄肉ヒンジ４３を介して結合されている。そして、連結片４は、ボタン部３を押し操作して蓋部２を開状態に切り換えるときに、ボタン部３が連結片４の下方向への揺動を伴って本体１の外周を形成している溝部１８の底壁に接近可能にする。このため、設計上は次のように設定されている。基端部４０及び先端部４１には、ボタン部３と同様に所定の剛性が付与されている。薄肉ヒンジ４２には、連結片４の全体を所定角だけ屈曲可能にする弾性力が付与されている。換言すると、この薄肉ヒンジ４２は、例えば、連結片４を本体１側に屈曲可能に連結している構成であればよい。これに対し、薄肉ヒンジ４３は、屈曲性又は弾性力が薄肉ヒンジ４２よりも大きく付与されている。このため、この薄肉ヒンジ４３は、図３（ａ）及び（ｃ）から推察されるように、連結片４の先端部４１とボタン部３の基端側との間の角度を可変可能にする構成であればよい。
【００１６】
（組立及び作動）以上の容器用キャップは、図４及び図５の展開状態で型成形されて、成形後に使用態様に組み立てられる。組立要領は、蓋部２を本体１の上側に近づけた後、本体１側の各突片１５を対応する蓋部側スリット２４にそれぞれ挿入する。その挿入操作では、例えば、各スリット２４に突出している凸部２５を突片１５の背面に位置させ、凸部２５が凹部１５ａに入り込むよう強制的に蓋部２を両突片１５間に押圧する。すると、各凸部２５は、突片１５と突片１５との間を弾性的に広げ、対応する凹部１５ａと一致したときに凹部１５ａと嵌合する。この嵌合により、蓋部２は、本体１に対し凸部２５を支点として回動可能に組み付けられる。
【００１７】
以上の組立状態において、蓋部２は、本体上端面１２側に押されると、図１（ａ）及び図３（ａ）のごとく窪み部２０の内径が上端面１２の係合部１７に係止された蓋閉状態又は蓋係止状態となる。この状態では、突出部２６が小筒部１４内に挿入されて開口１４ａを封止している。ボタン部３は、本体外周１０の溝部１８内より張出部３３及びその上下部分が突出している。蓋部２は、突起２７を上に押圧することにより、係合部１７に対する窪み部２０の係止を解除し、その後、ボタン部３の押し操作により凸部２５を支点として回動されて図１（ｂ）及び図３（ｃ）の蓋開状態に切り換えられる。なお、容器５に装着された使用態様では、例えば、蓋部２を本体１に対し非係止状態、つまり上端面１２を蓋部２でほぼ覆った状態にしておき、必要に応じて窪み部２０を係合部１７に係止ないしは係合させることもある。また、蓋部２を開から閉状態にする場合は、従来と同様に、蓋部２を本体上端面１２側に押し、凸部２５を支点として回動することになる。
【００１８】
以上のように、この形態では、ボタン部３が係合部１７及び窪み部２０の係止解除状態で本体１の溝部１８内へ押圧操作されると、蓋部２が凸部２５を支点とし開方向へ回動される。この開作動では、まず、ボタン部３が溝部１８内へ押されて図３（ｂ）の位置に達する過程において、連結片４の下向き揺動を伴って数ミリ下移動した後、同（ｃ）の最終押し込みに達する間に元の位置まで戻される。この最終押し込み位置では、ボタン部３が溝部１８の底面に当たり、それ以上の押し込みが規制される。蓋部２は、ボタン部３の押し操作により、凸部２５を支点として、かつ、薄肉ヒンジ３５を屈曲しながら開方向へ回動される。この構造では、以上の蓋開作動において、押圧力としては、ボタン部３が連結片４の揺動に伴う下移動により比較的弱い力で最終位置まで変位される。この理由は、例えば、上記した従来品（反転ラインが固定された構成）に対し、反転ラインが連結片４の揺動により変化することに起因して、反転ラインを弱い負荷で通過可能になるためと考えられる。
【００１９】
従って、この容器用キャップでは、従来品より弱い力で蓋開操作を行うことができ（最初から最後までほぼ一定の力で蓋開操作できることと同じ）、かつ、蓋開状態で蓋部２が閉じ方向へ不用意に回動しないよう所定の保持力を維持できる。また、最大押し力を小さくできるため、従来のごとくボタン部を大きな力で押圧することに起因した蓋部の急速回動、それに起因した違和感を解消したり、各薄肉ヒンジ３５や４３等に加わる負荷、それに起因した破損の虞も解消できる。
【００２０】
また、この形態では、図３（ｃ）の蓋部２の最大開き角度が約１２５度であり、従来品より大きく開くことができる。この開き角度は、従来でも蓋部の枢支部つまり凸部と凹部との設定箇所により多少変更可能であるが、極めて限られている。この点、この構造では、例えば、本体１の平坦状上端面１２に凹部１５ａ付きの突片１５を設定し、蓋部２にその突片１５を逃げる凸部２５付きのスリット２４を設定、つまり蓋部２の枢支構成及びボタン部２の配置構成により蓋部２の回動角が極力規制されないように工夫し、同時に、蓋部２とボタン部３との間の薄肉ヒンジ３５を凸部２５及び凹部１５ａに接近させると共に、ボタン部３が上記した連結片４の揺動を伴って下移動されるよう工夫したため、従来品に比べて、外観特性、蓋装着性、本体側開口の密封性を向上しながら、蓋部の開き角を数段大きくして設計自由度を拡大できる。
【００２１】
なお、本発明は、請求項１で特定した要件を除いて種々変形可能なものである。その一例として、本体の内部構成を変更したり容器への装着構造を必要に応じて変更すること、凸部を本体側に設け凹部を蓋部側に設けること等である。
【００２２】
【発明の効果】
以上説明したとおり、本発明に係る容器用キャップは、本体・蓋部・ボタン部が単一成形品からなる容器用キャップにおいて、押し操作でボタン部に加わる負荷を連結片の下方向への揺動により緩和吸収する。この結果、従来品に比べて、蓋部を開状態に切り換える際の押し力を小さくでき、最初から最後までほぼ一定の力で操作できるようにして使い勝手を向上できる。しかも、課題に挙げたような過剰な負荷を受け難くしたためヒンジ及びその周辺部の破損の虞も解消できる。また、請求項３及び４のように構成すると、従来品に比べて、外観特性等を向上しながら、蓋部の開き角を大きくでき、これにより適用上の制約をなくして用途も拡大できるようにする。
【図面の簡単な説明】
【図１】本発明形態のキャップを蓋部を開閉した状態で示す模式図である。
【図２】上記キャップの細部を蓋閉状態で示す構成図である。
【図３】上記キャップの作動を示す模式断面図である。
【図４】上記キャップを成形状態で示す展開図である。
【図５】図４と同様にキャップの展開図である。
【図６】図５の一部を拡大した要部構成図である。
【図７】従来キャップの問題を説明するための図である。
【符号の説明】
１…本体（１０は外周、１１は内筒部、１２は上端面、１４ａは開口）
２…蓋部（２０は窪み部、２１と２２は周囲壁、２６は突出部）
３…ボタン部（３０は外形部、３２はリブ、３３は張出部、３３ａは上外面）
４…連結片（４０は略水平状の基端部、４１は略傾斜状の先端部）
１５…突片（１５ａは凹部）
２４…スリット（２５は凸部）
３５…薄肉ヒンジ（第３ヒンジ）
４２…薄肉ヒンジ（第１ヒンジ）
４３…薄肉ヒンジ（第２ヒンジ）
【図１】
2004338780.tif 000003
【図２】
2004338780.tif 000004
【図３】
2004338780.tif 000005
【図４】
2004338780.tif 000006
【図５】
2004338780.tif 000007
【図６】
2004338780.tif 000008
【図７】
2004338780.tif 000009